(57)【要約】【課題】対象搬出エリアに位置する複数の対象搬出現場から対象搬入エリアに位置する複数の対象搬入現場への複数の対象搬送機関による搬送対象部材の対象搬送計画をデータ生成できる計画立案システムを提供する。【解決手段】対象搬送機関への搬送対象部材の対象搬出現場ごとの各種の搬出条件と対象搬送機関ごとの各種の運用条件をデータ記憶しており、対象搬送機関ごとにデータ入力される対象搬入エリアから対象搬出エリアへの往路状況をデータ記憶し、往路状況と運用条件と搬出条件とに対応して複数の対象搬出現場から複数の対象搬送機関に搬送対象部材を搬出する対象搬出計画をデータ生成してデータ出力するので、各種条件を満足する対象搬出計画を立案することができる。【選択図】  図１
2004272628.tif 000002
【特許請求の範囲】
【請求項１】
１つの対象搬出エリアに位置している複数の対象搬出現場から１つの対象搬入エリアに位置している複数の対象搬入現場への複数の対象搬送機関による少なくとも１つの搬送対象部材の対象搬送計画をデータ生成する計画立案システムであって、
前記対象搬出現場ごとに前記対象搬送機関への前記搬送対象部材の各種の搬出条件をデータ記憶している搬出条件記憶手段と、
前記対象搬送機関ごとに各種の運用条件をデータ記憶している運用条件記憶手段と、
前記対象搬入エリアから前記対象搬出エリアまで移動途中の前記対象搬送機関ごとに往路状況がデータ入力される往路状況入力手段と、
データ入力された前記往路状況を対応する前記対象搬送機関ごとにデータ記憶する往路状況記憶手段と、
前記往路状況と前記運用条件と前記搬出条件とに対応して複数の前記対象搬出現場から複数の前記対象搬送機関に前記搬送対象部材を搬出する対象搬出計画をデータ生成する搬出計画生成手段と、
データ生成された前記対象搬出計画を前記対象搬送計画の少なくとも一部としてデータ出力する搬出計画出力手段と、
を有している計画立案システム。
【請求項２】
前記搬出条件記憶手段でデータ記憶される前記搬出条件がデータ入力される搬出条件入力手段と、
前記運用条件記憶手段でデータ記憶される前記運用条件がデータ入力される運用条件入力手段と、
も有している請求項１に記載の計画立案システム。
【請求項３】
前記搬出計画生成手段は、
前記対象搬出計画の多数の候補をデータ生成する搬出生成実行手段と、
データ生成された前記対象搬出計画の候補ごとに運用コストを算出する搬出コスト算出手段と、
算出された前記運用コストが低額な少なくとも１つの前記対象搬出計画を選択する搬出計画選択手段と、
を有している請求項１または２に記載の計画立案システム。
【請求項４】
前記搬出計画出力手段が算出された前記運用コストも前記対象搬出計画とともにデータ出力する請求項３に記載の計画立案システム。
【請求項５】
前記搬出計画生成手段が複数の前記対象搬出計画をデータ生成し、
前記搬出計画出力手段がデータ生成された複数の前記対象搬出計画をデータ出力し、
データ出力された複数の前記対象搬出計画から１つを選択する入力操作を受け付ける搬出選択入力手段と、選択された１つの前記対象搬出計画を確定結果として前記搬出計画出力手段にデータ出力させる搬出計画確定手段と、も有している請求項１ないし４の何れか一項に記載の計画立案システム。
【請求項６】
データ生成された前記対象搬出計画への編集処理を受け付ける搬出編集入力手段も有している請求項１ないし５の何れか一項に記載の計画立案システム。
【請求項７】
前記往路状況や前記搬出条件や前記運用条件の制限の入力操作を受け付ける搬出制限入力手段も有しており、
前記搬出計画生成手段が前記入力操作に対応して前記対象搬出計画のデータ生成に利用する前記往路状況や前記搬出条件や前記運用条件を制限する請求項１ないし６の何れか一項に記載の計画立案システム。
【請求項８】
前記対象搬送機関が複数の前記対象搬出現場を経由する複数の搬出経路をデータ記憶している搬出経路記憶手段も有しており、
前記搬出計画生成手段がデータ記憶されている前記搬出経路に対応して前記対象搬出計画をデータ生成する請求項１ないし７の何れか一項に記載の計画立案システム。
【請求項９】
前記搬出計画生成手段が前記対象搬出計画のデータ生成に利用する前記搬出経路の制限が入力操作される搬出制限入力手段も有しており、
前記搬出計画生成手段が前記入力操作に対応して前記対象搬出計画のデータ生成に利用する前記搬出経路を制限する請求項８に記載の計画立案システム。
【請求項１０】
前記搬出条件記憶手段が前記搬出条件の少なくとも一部として前記対象搬出現場ごとに搬出できる前記搬送対象部材をデータ記憶している請求項１ないし９の何れか一項に記載の計画立案システム。
【請求項１１】
前記搬送対象部材が原油などの流体からなり、
前記対象搬送機関が前記流体を積載して航行するタンカーからなり、
前記対象搬出現場が前記タンカーに前記流体を搬出する搬出港からなり、
前記搬出条件記憶手段が前記搬出条件の少なくとも一部として前記タンカーが満杯でも航行できるかを前記搬出港ごとにデータ記憶している請求項１ないし１０の何れか一項に記載の計画立案システム。
【請求項１２】
前記搬送対象部材が原油などの流体からなり、
前記対象搬送機関が前記流体を積載して航行するタンカーからなり、
前記対象搬出現場が前記タンカーに前記流体を搬出する搬出港からなり、
前記搬出条件記憶手段が前記搬出条件の少なくとも一部として前記タンカーが複数の前記搬出港を経由するときに１番目である必要があるかを前記搬出港ごとにデータ記憶している請求項１ないし１１の何れか一項に記載の計画立案システム。
【請求項１３】
前記搬送対象部材が原油などの流体からなり、
前記対象搬送機関が前記流体を積載して航行するタンカーからなり、
前記対象搬出現場が前記タンカーに前記流体を搬出する搬出港からなり、
前記搬出条件記憶手段が前記搬出条件の少なくとも一部として前記タンカーが空荷では航行できないかを前記搬出港ごとにデータ記憶している請求項１ないし１２の何れか一項に記載の計画立案システム。
【請求項１４】
前記搬送対象部材が原油などの流体からなり、
前記対象搬送機関が前記流体を積載して航行するタンカーからなり、
前記対象搬出現場が前記タンカーに前記流体を搬出する搬出港からなり、
前記搬出条件記憶手段が前記搬出条件の少なくとも一部として前記搬出港ごとに搬出可能な前記流体の容量をデータ記憶している請求項１ないし１３の何れか一項に記載の計画立案システム。
【請求項１５】
前記搬送対象部材が原油などの流体からなり、
前記対象搬送機関が前記流体を積載して航行するタンカーからなり、
前記対象搬出現場が前記タンカーに前記流体を搬出する搬出港からなり、
前記搬出条件記憶手段が前記搬出条件の少なくとも一部として前記搬出港ごとに前記タンカーごとの入港の可否をデータ記憶している請求項１ないし１４の何れか一項に記載の計画立案システム。
【請求項１６】
前記搬送対象部材が原油などの流体からなり、
前記対象搬送機関が前記流体を積載して航行するタンカーからなり、
複数の前記対象搬出現場が桟橋に停泊した前記タンカーに前記流体を搬出する搬出港からなり、
前記搬出条件記憶手段が前記搬出条件の少なくとも一部として前記搬出港の桟橋ごとの使用可否をデータ記憶している請求項１ないし１５の何れか一項に記載の計画立案システム。
【請求項１７】
前記対象搬入現場ごとに前記対象搬送機関からの前記搬送対象部材の各種の搬入条件をデータ記憶している搬入条件記憶手段と、
データ出力された前記対象搬出計画に対応した実行結果である対象搬出実績がデータ入力される搬出実績入力手段と、
データ入力された前記対象搬出実績を対応する前記対象搬送機関ごとにデータ記憶する搬出実績記憶手段と、
前記対象搬出エリアから前記対象搬入エリアまで移動途中の前記対象搬送機関ごとに復路状況がデータ入力される復路状況入力手段と、
データ入力された前記復路状況を対応する前記対象搬送機関ごとにデータ記憶する復路状況記憶手段と、
前記運用条件と前記搬入条件と前記復路状況と前記対象搬出実績とに対応して複数の前記対象搬送機関から複数の前記対象搬入現場に前記搬送対象部材を搬入する対象搬入計画をデータ生成する搬入計画生成手段と、
データ生成された前記対象搬入計画を前記対象搬送計画の少なくとも一部としてデータ出力する搬入計画出力手段と、
も有している請求項１ないし１６の何れか一項に記載の計画立案システム。
【請求項１８】
前記搬入条件記憶手段でデータ記憶される前記搬入条件がデータ入力される搬入条件入力手段も有している請求項１７に記載の計画立案システム。
【請求項１９】
前記搬入計画生成手段は、
前記対象搬入計画の多数の候補をデータ生成する搬入生成実行手段と、
データ生成された前記対象搬入計画の候補ごとに運用コストを算出する搬入コスト算出手段と、
算出された前記運用コストが低額な少なくとも１つの前記対象搬入計画を選択する搬入計画選択手段と、
を有している請求項１７または１８に記載の計画立案システム。
【請求項２０】
前記搬入計画出力手段が算出された前記運用コストも前記対象搬入計画とともにデータ出力する請求項１９に記載の計画立案システム。
【請求項２１】
前記搬入計画生成手段が複数の前記対象搬入計画をデータ生成し、
前記搬入計画出力手段がデータ生成された複数の前記対象搬入計画をデータ出力し、
データ出力された複数の前記対象搬入計画から１つを選択する入力操作を受け付ける搬入選択入力手段と、選択された１つの前記対象搬入計画を確定結果として前記搬入計画出力手段にデータ出力させる搬入計画確定手段と、も有している請求項１７ないし２０の何れか一項に記載の計画立案システム。
【請求項２２】
前記対象搬入計画への編集処理を受け付ける搬入編集入力手段も有している請求項１７ないし２１の何れか一項に記載の計画立案システム。
【請求項２３】
前記搬入計画生成手段が前記対象搬入計画のデータ生成に利用する前記搬入条件や前記運用条件や前記復路状況の制限の入力操作を受け付ける搬入制限入力手段も有しており、
前記搬入計画生成手段が前記入力操作に対応して前記対象搬入計画のデータ生成に利用する前記搬入条件や前記運用条件や前記復路状況を制限する請求項１７ないし２２の何れか一項に記載の計画立案システム。
【請求項２４】
前記対象搬送機関が複数の前記対象搬入現場を経由する複数の搬入経路をデータ記憶している搬入経路記憶手段も有しており、
前記搬入計画生成手段がデータ記憶されている前記搬入経路に対応して前記対象搬入計画をデータ生成する請求項１７ないし２３の何れか一項に記載の計画立案システム。
【請求項２５】
前記搬入計画生成手段が前記対象搬入計画のデータ生成に利用する前記搬入経路の制限が入力操作される搬入制限入力手段も有しており、前記搬入計画生成手段が前記入力操作に対応して前記対象搬入計画のデータ生成に利用する前記搬入経路を制限する請求項２４に記載の計画立案システム。
【請求項２６】
前記搬入条件記憶手段が前記搬入条件の少なくとも一部として前記対象搬入現場ごとに搬入できる前記搬送対象部材をデータ記憶している請求項１７ないし２５の何れか一項に記載の計画立案システム。
【請求項２７】
前記搬送対象部材が原油などの流体からなり、
前記対象搬送機関が前記流体を積載して航行するタンカーからなり、
前記対象搬入現場が前記タンカーに前記流体を搬入する搬入港からなり、
前記搬入条件記憶手段が前記搬入条件の少なくとも一部として前記タンカーが満杯でも航行できるかを前記搬入港ごとにデータ記憶している請求項１７ないし２６の何れか一項に記載の計画立案システム。
【請求項２８】
前記搬送対象部材が原油などの流体からなり、
前記対象搬送機関が前記流体を積載して航行するタンカーからなり、
前記対象搬入現場が前記タンカーに前記流体を搬入する搬入港からなり、
前記搬入条件記憶手段が前記搬入条件の少なくとも一部として前記搬入港ごとに搬入可能な前記流体の容量をデータ記憶している請求項１７ないし２７の何れか一項に記載の計画立案システム。
【請求項２９】
前記搬送対象部材が原油などの流体からなり、
前記対象搬送機関が前記流体を積載して航行するタンカーからなり、
前記対象搬入現場が前記タンカーに前記流体を搬入する搬入港からなり、
前記搬入条件記憶手段が前記搬入条件の少なくとも一部として前記搬入港ごとに前記タンカーごとの入港の可否をデータ記憶している請求項１７ないし２８の何れか一項に記載の計画立案システム。
【請求項３０】
前記搬送対象部材が原油などの流体からなり、
前記対象搬送機関が前記流体を積載して航行するタンカーからなり、
複数の前記対象搬入現場が桟橋に停泊した前記タンカーに前記流体を搬入する搬入港からなり、
前記搬入条件記憶手段が前記搬入条件の少なくとも一部として前記搬入港の桟橋ごとの使用可否をデータ記憶している請求項１７ないし２９の何れか一項に記載の計画立案システム。
【請求項３１】
１つの対象搬出エリアに位置している複数の対象搬出現場から１つの対象搬入エリアに位置している複数の対象搬入現場への複数の対象搬送機関による少なくとも１つの搬送対象部材の対象搬送計画をデータ生成する計画立案方法であって、
前記対象搬出現場ごとに前記対象搬送機関への前記搬送対象部材の各種の搬出条件をデータ記憶しており、
前記対象搬送機関ごとに各種の運用条件をデータ記憶しており、
前記対象搬入エリアから前記対象搬出エリアまで移動途中の前記対象搬送機関ごとに往路状況のデータ入力を受け付け、
データ入力された前記往路状況を対応する前記対象搬送機関ごとにデータ記憶し、
前記往路状況と前記運用条件と前記搬出条件とに対応して複数の前記対象搬出現場から複数の前記対象搬送機関に前記搬送対象部材を搬出する対象搬出計画をデータ生成し、
データ生成された前記対象搬出計画を前記対象搬送計画の少なくとも一部としてデータ出力するようにした計画立案方法。
【請求項３２】
前記対象搬入現場ごとに前記対象搬送機関からの前記搬送対象部材の各種の搬入条件をデータ記憶しており、
データ出力された前記対象搬出計画に対応した実行結果である対象搬出実績のデータ入力を受け付け、
データ入力された前記対象搬出実績を対応する前記対象搬送機関ごとにデータ記憶し、
前記対象搬出エリアから前記対象搬入エリアまで移動途中の前記対象搬送機関ごとに復路状況のデータ入力を受け付け、
データ入力された前記復路状況を対応する前記対象搬送機関ごとにデータ記憶し、
前記運用条件と前記搬入条件と前記復路状況と前記対象搬出実績とに対応して複数の前記対象搬送機関から複数の前記対象搬入現場に前記搬送対象部材を搬入する対象搬入計画をデータ生成し、
データ生成された前記対象搬入計画をデータ出力するようにした請求項３１に記載の計画立案方法。
【請求項３３】
コンピュータ装置からなる請求項１に記載の計画立案システムのためのコンピュータプログラムであって、
前記対象搬出現場ごとに前記対象搬送機関への前記搬送対象部材の各種の搬出条件をデータ記憶しておくこと、
前記対象搬送機関ごとに各種の運用条件をデータ記憶しておくこと、
前記対象搬入エリアから前記対象搬出エリアまで移動途中の前記対象搬送機関ごとに往路状況のデータ入力を受け付けること、
データ入力された前記往路状況を対応する前記対象搬送機関ごとにデータ記憶すること、
前記往路状況と前記運用条件と前記搬出条件とに対応して複数の前記対象搬出現場から複数の前記対象搬送機関に前記搬送対象部材を搬出する対象搬出計画をデータ生成すること、
データ生成された前記対象搬出計画を前記対象搬送計画の少なくとも一部としてデータ出力すること、
を前記計画立案システムに実行させるためのコンピュータプログラム。
【請求項３４】
前記対象搬入現場ごとに前記対象搬送機関からの前記搬送対象部材の各種の搬入条件をデータ記憶しておくこと、
データ出力された前記対象搬出計画に対応した実行結果である対象搬出実績のデータ入力を受け付けること、
データ入力された前記対象搬出実績を対応する前記対象搬送機関ごとにデータ記憶すること、
前記対象搬出エリアから前記対象搬入エリアまで移動途中の前記対象搬送機関ごとに復路状況のデータ入力を受け付けること、
データ入力された前記復路状況を対応する前記対象搬送機関ごとにデータ記憶すること、
前記運用条件と前記搬入条件と前記復路状況と前記対象搬出実績とに対応して複数の前記対象搬送機関から複数の前記対象搬入現場に前記搬送対象部材を搬入する対象搬入計画をデータ生成すること、
データ生成された前記対象搬入計画をデータ出力すること、
も前記計画立案システムに実行させるための請求項３３に記載のコンピュータプログラム。
【請求項３５】
コンピュータ装置からなる計画立案システムのためのコンピュータプログラムが格納されている情報記憶媒体であって、
請求項３３および３４に記載のコンピュータプログラムが格納されている情報記憶媒体。
【発明の詳細な説明】
【０００１】
【発明の属する技術分野】
本発明は、搬送対象部材の対象搬送計画をデータ生成する計画立案システムに関し、特に、１つの対象搬出エリアに位置している複数の対象搬出現場から１つの対象搬入エリアに位置している複数の対象搬入現場への複数の対象搬送機関による少なくとも１つの搬送対象部材の対象搬送計画をデータ生成する計画立案システムに関する。
【０００２】
【従来の技術】
現在、石油会社などは原産地から製油所まで原油をタンカーにより搬送しているが、複数の原産地から複数の製油所まで複数種類の原油を搬送するような場合、そのタンカーの配船を計画する作業は煩雑である。しかし、タンカーの運行費用は莫大であるため、無駄のない配船計画を立案する必要がある。
【０００３】
現在、このような配船計画を立案する計画立案システムとして各種の提案がある（例えば、非特許文献１参照）。
【０００４】
【非特許文献１】
“衛星パケット通信とＧＩＳによる移動体運行管理システムの開発”、三菱重工業（株）、［２００２年１２月０４日検索］インターネット＜ＵＲＬ：ｈｔｔｐ：／／ｗｗｗ．ｍｈｉ．ｃｏ．ｊｐ／ｎｓｍｗ／ｈｔｍｌ／ｉｄｏｕ．ｈｔｍ＞
【０００５】
【発明が解決しようとする課題】
例えば、日本の石油会社が中東地域から原油を輸入する場合、中東地域の複数の搬出港から日本の複数の搬入港まで複数のタンカーにより各種の原油を搬送することになるが、その配船パターンは膨大となるので、能率的な搬送計画を効率的に生成することは困難である。
【０００６】
しかも、実際に原油を搬送する現場では各種の条件があるため、搬送計画を立案するときには各種条件の全部を満足する必要がある。例えば、一般的に原油には複数の種類があるが、搬出／搬入港ごとに搬出／搬入できる原油が規定されていることがある。
【０００７】
また、喫水深度などの関係のために搬出／搬入港ごとにタンカーが満杯でも航行できるかが規定されていることがあり、搬出港ごとにタンカーが複数の搬出港を経由するときに１番目である必要があるかが規定されていることがあり、橋梁の下方スペースなどの関係から搬出港ごとにタンカーが空荷では航行できないかが規定されていることもある。
【０００８】
さらに、搬出／搬入港ごとに搬出／搬入できる原油の種別や容量が規定されていることもあり、契約などの関係のために搬出／搬入港ごとに航行できるタンカーが規定されていることもあり、工事などの関係のために搬出／搬入港の桟橋ごとに使用可否が規定されていることもある。
【０００９】
しかし、前述のように配線パターンだけでも膨大となる搬送計画を、上述のような様々な条件の全部を満足するように立案することは極めて困難である。このため、従来は各種条件を記憶している熟練者が搬送計画を立案するなどしていたが、それでも能率的な搬送計画を効率的に生成することはできなかった。例えば、搬送計画が能率的でないと、タンカーが無駄に搬出／搬入港に停泊するようなことが発生するが、これは尋常ではない費用を必要とする。
【００１０】
本発明は上述のような課題に鑑みてなされたものであり、１つの対象搬出エリアに位置している複数の対象搬出現場から１つの対象搬入エリアに位置している複数の対象搬入現場まで複数の対象搬送機関により搬送対象部材を搬送するとき、能率的な対象搬送計画を効率的にデータ生成できる計画立案システムを提供することを目的とする。
【００１１】
【課題を解決するための手段】
本発明の計画立案システムは、１つの対象搬出エリアに位置している複数の対象搬出現場から１つの対象搬入エリアに位置している複数の対象搬入現場への複数の対象搬送機関による少なくとも１つの搬送対象部材の対象搬送計画をデータ生成するため、搬出条件記憶手段、往路状況入力手段、往路状況記憶手段、搬出計画生成手段、搬出計画出力手段、を有している。
【００１２】
搬出条件記憶手段は、対象搬出現場ごとに対象搬送機関への搬送対象部材の各種の搬出条件をデータ記憶しており、運用条件記憶手段は、対象搬送機関ごとに各種の運用条件をデータ記憶している。往路状況入力手段は、対象搬入エリアから対象搬出エリアまで移動途中の対象搬送機関ごとに往路状況がデータ入力され、往路状況記憶手段は、データ入力された往路状況を対応する対象搬送機関ごとにデータ記憶する。搬出計画生成手段は、往路状況と運用条件と搬出条件とに対応して複数の対象搬出現場から複数の対象搬送機関に搬送対象部材を搬出する対象搬出計画をデータ生成し、搬出計画出力手段は、データ生成された対象搬出計画を対象搬送計画の少なくとも一部としてデータ出力する。
【００１３】
従って、本発明の計画立案システムの計画立案方法では、搬送対象部材を搬出する複数の対象搬出現場まで複数の対象搬送機関を移動させる対象搬出計画が、対象搬送計画の少なくとも一部として各種条件を満足するようにデータ生成される。
【００１４】
上述のような計画立案システムにおいて、さらに、搬入条件記憶手段、搬出実績入力手段、搬出実績記憶手段、復路状況入力手段、復路状況記憶手段、搬入計画生成手段、搬入計画出力手段、を有していることも可能である。搬入条件記憶手段は、対象搬入現場ごとに対象搬送機関からの搬送対象部材の各種の搬入条件をデータ記憶しており、搬出実績入力手段は、データ出力された対象搬出計画に対応した実行結果である対象搬出実績がデータ入力され、搬出実績記憶手段は、データ入力された対象搬出実績を対応する対象搬送機関ごとにデータ記憶する。復路状況入力手段は、対象搬出エリアから対象搬入エリアまで移動途中の対象搬送機関ごとに復路状況がデータ入力され、復路状況記憶手段は、データ入力された復路状況を対応する対象搬送機関ごとにデータ記憶する。搬入計画生成手段は、運用条件と搬入条件と復路状況と対象搬出実績とに対応して複数の対象搬送機関から複数の対象搬入現場に搬送対象部材を搬入する対象搬入計画をデータ生成し、搬入計画出力手段は、データ生成された対象搬入計画を対象搬送計画の少なくとも一部としてデータ出力する。
【００１５】
従って、本発明の計画立案システムの計画立案方法では、搬送対象部材を搬入する複数の対象搬入現場まで複数の対象搬送機関を移動させる対象搬入計画が、対象搬送計画の少なくとも一部として各種条件を満足するようにデータ生成される。
【００１６】
なお、本発明で云う各種手段は、その機能を実現するように形成されていれば良く、例えば、所定の機能を発揮する専用のハードウェア、所定の機能がコンピュータプログラムにより付与されたデータ処理装置、コンピュータプログラムによりデータ処理装置に実現された所定の機能、これらの組み合わせ、等として実現することができる。
【００１７】
また、本発明で云う各種手段は、個々に独立した存在である必要もなく、複数の手段が１個の部材として形成されていること、ある手段が他の手段の一部であること、ある手段の一部と他の手段の一部とが重複していること、等も可能である。
【００１８】
また、本発明で云うデータ処理装置とは、コンピュータプログラムを読み取って対応する処理動作を実行できるハードウェアであれば良く、例えば、ＣＰＵ（Ｃｅｎｔｒａｌ  Ｐｒｏｃｅｓｓｉｎｇ  Ｕｎｉｔ）を主体として、これに、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、Ｉ／Ｆ（Ｉｎｔｅｒｆａｃｅ）ユニット、等の各種デバイスが接続されたハードウェアなどで良い。
【００１９】
なお、本発明でコンピュータプログラムに対応した各種動作をデータ処理装置に実行させることは、各種デバイスをデータ処理装置に動作制御させることなども意味している。例えば、データ処理装置に各種データを記憶させることは、データ処理装置に固定されているＲＡＭ等の情報記憶媒体にＣＰＵが各種データを格納すること、データ処理装置に交換自在に装填されているＦＤ（Ｆｌｅｘｉｂｌｅ  Ｄｉｓｃ−ｃａｒｔｒｉｄｇｅ）等の情報記憶媒体にＣＰＵがＦＤＤ（ＦＤ  Ｄｒｉｖｅ）で各種データを格納すること、等で良い。
【００２０】
また、本発明で云う情報記憶媒体とは、データ処理装置に各種処理を実行させるためのコンピュータプログラムが事前に格納されたハードウェアであれば良く、例えば、データ処理装置を一部とする装置に固定されているＲＯＭおよびＨＤＤ（Ｈａｒｄ  Ｄｉｓｃ  Ｄｒｉｖｅ）、データ処理装置を一部とする装置に交換自在に装填されるＣＤ（Ｃｏｍｐａｃｔ  Ｄｉｓｃ）−ＲＯＭおよびＦＤ、等で実施することが可能である。
【００２１】
【発明の実施の形態】
［実施の形態の構成］
本発明の実施の形態の計画立案システム１００は、中東地域などの１つの対象搬出エリアに位置している複数の対象搬出現場である搬出港から、日本などの１つの対象搬入エリアに位置している複数の対象搬入現場である搬入港への、複数の対象搬送機関であるタンカーによる各種の原油の対象搬送計画をデータ生成するコンピュータ装置からなる。
【００２２】
本形態の計画立案システム１００は、例えば、複数の搬入港および複数のタンカーを利用しており、複数の搬出港と契約している、日本の石油会社に設置されており、図２に示すように、コンピュータ装置の主体となるハードウェアとしてＣＰＵ１０１を有している。
【００２３】
このＣＰＵ１０１にはバスライン１０２が接続されており、このバスライン１０２には、ＲＯＭ１０３、ＲＡＭ１０４、ＨＤＤ１０５、ＦＤ１０６が交換自在に装填されるＦＤＤ１０７、ＣＤ−ＲＯＭ１０８が交換自在に装填されるＣＤドライブ１０９、入力操作デバイスの一つであるキーボード１１０、入力操作デバイスの一つであるマウス１１１、画像表示デバイスであるディスプレイユニット１１２、Ｉ／Ｆユニット１１３、等のハードウェアが接続されている。
【００２４】
本実施の形態の計画立案システム１００では、ＲＯＭ１０３、ＲＡＭ１０４、ＨＤＤ１０５、交換自在なＦＤ１０６、交換自在なＣＤ−ＲＯＭ１０８、等のハードウェアが情報記憶媒体に相当し、これらの少なくとも一個にＣＰＵ１０１のためのコンピュータプログラムおよびリソースがソフトウェアとして格納されている。このようなソフトウェアは計画立案システム１００に事前にインストールされており、その起動時にＣＰＵ１０１にデータ読取される。
【００２５】
このようにＣＰＵ１０１が適正なコンピュータプログラムをデータ読取して各種処理を実行することにより、本形態の計画立案システム１００は、図１に示すように、搬出条件記憶手段１２１、搬入条件記憶手段１２２、搬出経路記憶手段１２３、運用条件記憶手段１２４、往路状況入力手段１２５、往路状況記憶手段１２６、搬出計画生成手段１２７、搬出制限入力手段１２８、搬出計画出力手段１２９、搬出選択入力手段１３１、搬出計画確定手段１３２、搬出計画記憶手段１３３、搬出編集入力手段１３４、搬出実績入力手段１３６、搬出実績記憶手段１３７、復路状況入力手段１４１、復路状況記憶手段１４２、搬入計画生成手段１４３、搬入制限入力手段１４４、搬入計画記憶手段１４６、搬入計画出力手段１４７、搬入編集入力手段１４８、等の各種手段を各種機能として論理的に有している。
【００２６】
上述の各種入力手段１２５，１２８，…は、ＣＰＵ１０１がＲＡＭ１０４に格納されているコンピュータプログラムに対応してキーボード１１０やマウス１１１への入力操作をデータ認識する機能などに相当し、各種記憶手段１２１，１２２，…は、ＣＰＵ１０１がコンピュータプログラムに対応してデータ認識するように構築されたＨＤＤ１０５の記憶エリアなどに相当する。
【００２７】
また、各種出力手段１２９，１４７は、ＣＰＵ１０１が処理データをディスプレイユニット１１２に表示出力させる機能などに相当し、その他の各種手段１２７，１３２，…は、ＣＰＵ１０１が所定のデータ処理を実行する機能などに相当する。
【００２８】
搬出条件記憶手段１２１は、搬出港ごとにタンカーへの原油の各種の搬出条件をデータ記憶しており、搬入条件記憶手段１２２は、搬入港ごとにタンカーからの原油の各種の搬入条件をデータ記憶している。運用条件記憶手段１２４は、タンカーごとに各種の運用条件をデータ記憶しており、搬出経路記憶手段１２３は、タンカーが複数の搬出港を経由する複数の搬出経路をデータ記憶している。
【００２９】
例えば、搬出港からタンカーに搬出される原油や、タンカーから搬入港に搬入される原油には、各種が存在するが、搬出／搬入港ごとに搬出／搬入できる原油は特定されているので、これが搬出／搬入条件の一部として計画立案システム１００に事前にデータ登録されている。
【００３０】
また、搬出／搬入港ごとに搬出／搬入可能な原油の容量も相違するので、これも搬出／搬入条件の一部として事前にデータ登録されている。また、喫水深度の関係からタンカーが満杯では航行できない搬出／搬入港もあるので、タンカーが満杯でも航行できるかも、搬出／搬入港ごとに搬出／搬入条件の一部として事前にデータ登録されている。
【００３１】
また、タンカーが複数の搬出港を経由するときに１番目でないと原油を積載できない搬出港もあるので、これも搬出港ごとに搬出条件の一部として事前にデータ登録されており、橋梁の下方スペースなどの関係からタンカーが空荷では航行できない搬出港もあるので、これも搬出港ごとに搬出条件の一部として事前にデータ登録されている。
【００３２】
さらに、搬出港や搬入港との契約の関係などのため、搬出／搬入港ごとにタンカーごとの入港の可否が規定されていることもあるので、これも搬出／搬入条件の一部として事前にデータ登録されている。さらに、桟橋の工事の関係などのため、搬出／搬入港の桟橋ごとに使用可否が設定されていることもあるので、これも搬出／搬入条件の一部として事前にデータ登録されている。
【００３３】
また、中東地域などの対象搬出エリアには複数の搬出港が存在するので、タンカーが複数の搬出港を経由する搬出経路は膨大なパターンが存在する。しかし、実際にタンカーが複数の搬出港を経由する場合、航行距離や搬出港の総合関係などのために有効な搬出経路は特定されているので、その複数の搬出経路が計画立案システム１００にデータ登録されている。さらに、タンカーごとに積載できる原油などが規定されていることもあるので、これが運用条件の一部として計画立案システム１００に事前にデータ登録されている。
【００３４】
なお、詳細には後述するが、本形態の計画立案システム１００は運用コストに基づいて対象搬送計画を立案するため、上述の搬出／搬入条件には搬出／搬入港ごとのポートチャージなどの運用コストがデータ設定されており、搬出経路には移動距離などに対応した運用コストがデータ設定されている。
【００３５】
一方、運用できるタンカーには各種が存在するが、長距離の大容量の搬送に利用されるタンカーはＶＬＣＣ（Ｖｅｒｙ  Ｌａｒｇｅ  Ｃｒｕｄｅ  Ｃａｒｒｉｅｒ）と呼称される大型船に略特定されるので、本形態の計画立案システム１００では、タンカーごとの運用コストなどは一律としてデータ登録が省略されている。
【００３６】
往路状況入力手段１２５は、日本などの対象搬入エリアから中東などの対象搬出エリアまで移動途中のタンカーごとに往路状況がデータ入力され、往路状況記憶手段１２６は、データ入力された往路状況を対応するタンカーごとにデータ記憶する。
【００３７】
より具体的には、本形態の計画立案システム１００は、例えば、一ヶ月ごとに定期的に対象搬送計画の立案に利用される。そこで、対象搬送計画を立案する時点で、対象搬入エリアから対象搬出エリアまで移動途中の複数のタンカーに関し、その現在位置などが往路状況として計画立案システム１００にデータ入力される。
【００３８】
搬出計画生成手段１２７は、搬出生成実行手段、搬出コスト算出手段、搬出計画選択手段、を有しており（図示せず）、往路状況と運用条件と搬出条件と搬出経路とに対応して複数の搬出港から複数のタンカーに原油を搬出する複数の対象搬出計画をデータ生成する。
【００３９】
搬出生成実行手段は、往路状況と運用条件と搬出条件と搬出経路とに対応して対象搬出計画の多数の候補をデータ生成し、搬出コスト算出手段は、データ生成された対象搬出計画の候補ごとに、往路状況と運用条件と搬出条件と搬出経路とに対応して運用コストを算出し、搬出計画選択手段は、データ生成された多数の対象搬出計画から算出された運用コストが低額な対象搬出計画を所定個数だけ選択する。
【００４０】
ただし、搬出制限入力手段１２８は、往路状況や搬出条件や運用条件や搬出経路の制限の入力操作を受け付けるので、搬出計画生成手段１２７は、その入力操作に対応して対象搬出計画のデータ生成に利用する往路状況や搬出条件や運用条件や搬出経路を制限する。
【００４１】
この制限は、例えば、利用の可否をデータ設定する２値フラグなどが利用できるが、前述のように本形態の計画立案システム１００は運用コストに基づいて対象搬送計画を立案するので、搬出経路などに過剰な運用コストを追加設定することでも上述の制限は実行される。
【００４２】
搬出計画出力手段１２９は、データ生成された複数の対象搬出計画を算出された運用コストとともに対象搬送計画の一部としてデータ出力し、搬出選択入力手段１３１は、データ出力された複数の対象搬出計画から１つを選択する入力操作を受け付ける。
【００４３】
搬出計画確定手段１３２は、選択された１つの対象搬出計画を確定結果として搬出計画出力手段１２９にデータ出力させ、搬出計画記憶手段１３３は、確定された対象搬出計画を対応するタンカーごとにデータ記憶する。搬出編集入力手段１３４は、データ記憶された対象搬出計画への編集処理を受け付け、搬出計画記憶手段１３３でデータ記憶されている対象搬出計画を編集処理に対応してデータ更新する。
【００４４】
搬出実績入力手段１３６は、データ出力された対象搬出計画に対応した実行結果である対象搬出実績がデータ入力され、搬出実績記憶手段１３７は、データ入力された対象搬出実績を対応するタンカーごとにデータ記憶する。より具体的には、前述のように対象搬出計画がデータ生成されてデータ出力されると、その対象搬出計画に対応して実際に複数のタンカーが複数の搬出港に配船されて原油が積載される。
【００４５】
この対象搬出計画に対応した実行結果である対象搬出実績は、例えば、タンカーや搬出港から石油会社に適宜通達されるので、この石油会社では、通達される対象搬出実績を計画立案システム１００に手動操作やオンラインでデータ入力することになる。
【００４６】
復路状況入力手段１４１は、対象搬出エリアから対象搬入エリアまで移動途中のタンカーごとに復路状況がデータ入力され、復路状況記憶手段１４２は、データ入力された復路状況を対応するタンカーごとにデータ記憶する。より具体的には、本形態の計画立案システム１００は、前述のように一ヶ月ごとに定期的に対象搬送計画の立案に利用されるので、対象搬送計画を立案する時点で、対象搬出エリアから対象搬入エリアまで帰還途中の複数のタンカーに関し、その現在位置などが復路状況として計画立案システム１００にデータ入力される。
【００４７】
搬入計画生成手段１４３は、搬入生成実行手段と搬入コスト算出手段と搬入計画選択手段からなり（図示せず）、運用条件と搬入条件と復路状況と対象搬出実績とに対応して複数のタンカーから複数の搬入港に原油を搬入する対象搬入計画をデータ生成する。
【００４８】
より詳細には、搬入生成実行手段は、復路状況がデータ入力されたタンカーごとに、そのタンカーの対象搬出実績をデータ読出し、その対象搬出実績と運用条件と搬入条件と復路状況とに対応して対象搬入計画の多数の候補をデータ生成する。搬入コスト算出手段は、データ生成された対象搬入計画の候補ごとに運用コストを算出し、搬入計画選択手段は、算出された運用コストが最低の１つの対象搬入計画を選択する。
【００４９】
ただし、搬入制限入力手段１４４は、搬入計画生成手段１４３が対象搬入計画のデータ生成に利用する搬入条件や運用条件や復路状況の制限の入力操作を受け付けるので、搬入計画生成手段１４３は、その入力操作に対応して対象搬入計画のデータ生成に利用する搬入条件や運用条件や復路状況を制限する。
【００５０】
搬入計画記憶手段１４６は、データ生成された対象搬入計画をデータ記憶し、搬入計画出力手段１４７は、データ記憶された対象搬入計画を算出された運用コストとともに対象搬送計画の一部としてデータ出力する。搬入編集入力手段１４８は、データ出力された対象搬入計画への編集処理を受け付け、搬入計画記憶手段１４６でデータ記憶されている対象搬入計画を編集処理に対応してデータ更新する。
【００５１】
上述のような計画立案システム１００の各種手段は、必要によりＨＤＤ１０５やＩ／Ｆユニット１１３等のハードウェアを利用して実現されるが、その主体はＲＡＭ１０４等の情報記憶媒体に格納されたコンピュータプログラムに対応してハードウェアであるＣＰＵ１０１が機能することにより実現されている。
【００５２】
このようなコンピュータプログラムは、例えば、搬出港ごとのタンカーへの原油の各種の搬出条件、搬入港ごとのタンカーからの原油の各種の搬入条件、タンカーごとの各種の運用条件、タンカーが複数の搬出港を経由する複数の搬出経路、をＨＤＤ１０５などにデータ記憶させること、対象搬入エリアから対象搬出エリアまで移動途中のタンカーごとの往路状況のキーボード１１０などによるデータ入力を受け付けること、データ入力された往路状況を対応するタンカーごとにＨＤＤ１０５などにデータ記憶させること、往路状況と運用条件と搬出条件と搬出経路とに対応して対象搬出計画の多数の候補をデータ生成すること、データ生成された対象搬出計画の候補ごとに往路状況と運用条件と搬出条件と搬出経路とに対応して運用コストを算出すること、データ生成された多数の対象搬出計画から算出された運用コストが低額な対象搬出計画を所定個数だけ選択すること、往路状況や搬出条件や運用条件や搬出経路の制限の入力操作を受け付けること、その入力操作に対応して対象搬出計画のデータ生成に利用する往路状況や搬出条件や運用条件や搬出経路を制限すること、データ生成された複数の対象搬出計画を算出された運用コストとともに対象搬送計画の一部としてディスプレイ１１２のデータ表示などでデータ出力すること、データ出力された複数の対象搬出計画から１つを選択する入力操作を受け付けること、選択された１つの対象搬出計画を確定結果としてデータ出力すること、確定された対象搬出計画を対応するタンカーごとにデータ記憶すること、データ記憶されている対象搬出計画を編集処理に対応してデータ更新すること、データ出力された対象搬出計画に対応した実行結果である対象搬出実績のデータ入力を受け付けること、データ入力された対象搬出実績を対応するタンカーごとにデータ記憶すること、対象搬出エリアから対象搬入エリアまで移動途中のタンカーごとの復路状況のデータ入力を受け付けること、データ入力された復路状況を対応するタンカーごとにデータ記憶すること、運用条件と搬入条件と復路状況と対象搬出実績とに対応して対象搬入計画の多数の候補をデータ生成すること、データ生成された対象搬入計画の候補ごとに運用コストを算出すること、算出された運用コストが最低の１つの対象搬入計画を選択すること、対象搬入計画のデータ生成に利用する搬入条件や運用条件や復路状況の制限の入力操作を受け付けること、その入力操作に対応して対象搬入計画のデータ生成に利用する搬入条件や運用条件や復路状況を制限すること、データ生成された対象搬入計画をデータ記憶すること、データ記憶された対象搬入計画を算出された運用コストとともに対象搬送計画の一部としてデータ出力すること、データ記憶されている対象搬入計画を編集処理に対応してデータ更新すること、等の処理動作をＣＰＵ１０１等に実行させるためのソフトウェアとしてＲＡＭ１０４等の情報記憶媒体に格納されている。
【００５３】
［実施の形態の動作］
上述のような構成において、本形態の計画立案システム１００は、例えば、複数の搬入港および複数のタンカーを利用しており、複数の搬出港と契約している、日本の石油会社に設置されており、一ヶ月などの所定周期ごとに原油の対象搬送計画のデータ生成に利用される。
【００５４】
本形態の計画立案システム１００は、上述のような対象搬送計画をデータ生成するため、搬出港ごとの搬出条件、搬入港ごとの搬入条件、複数の搬出港を経由する搬出経路、タンカーごとの運用条件、が事前に作業者によりデータ登録されている。
【００５５】
複数のタンカーが日本から中東などに移動し、その中東の複数の搬出港で原油を積載してから日本の複数の搬入港まで帰還する場合、通常、この作業には数ヶ月が必要である。そこで、その対象搬送計画を立案する石油会社では、例えば、複数のタンカーが日本から中東に移動しているときに、その到着の略３ヶ月前などに対象搬出計画を立案し、複数のタンカーが中東から日本に帰還しているときに、その到着の略１ヶ月前などに対象搬入計画を立案する。
【００５６】
上述のように複数のタンカーが日本から中東に移動しているとき、そのタンカーは定時連絡などで往路状況を石油会社に適宜連絡する。そこで、図３に示すように、計画立案システム１００が対象搬出計画をデータ生成するときは、例えば、作業者がキーボード１１０の手動操作などでタンカーごとの往路状況をデータ入力し（ステップＳ１）、その往路状況をＨＤＤ１０５などにデータ記憶させる（ステップＳ２）。
【００５７】
このとき、往路状況、搬出条件、搬出経路、運用条件、に対象搬出計画のデータ生成に利用したくないものがある場合、その制限を作業者が所望によりキーボード１１０などで入力操作すると（ステップＳ３）、この制限もＨＤＤ１０５などでデータ記憶される（ステップＳ４）。
【００５８】
このような状態で、作業者が対象搬出計画の生成指示をキーボード１１０などで計画立案システム１００に入力操作すると（ステップＳ５）、この計画立案システム１００は、制限がデータ登録されていない、往路状況、搬出条件、搬出経路、運用条件、をデータ読出し（ステップＳ６）、その往路状況と運用条件と搬出条件と搬出経路とに対応して複数のタンカーを複数の搬出港に移動させて原油を積載させる複数の対象搬出計画をデータ生成する（ステップＳ７〜Ｓ１０）。
【００５９】
その場合、往路状況がデータ登録されたタンカーごとに運用条件がデータ読出され、多数の搬出経路ごとに対象搬出計画の候補がデータ生成される（ステップＳ７，Ｓ９）。そして、その多数の対象搬出計画ごとに運用コストが算出され（ステップＳ８）、その運用コストが低額な対象搬出計画が所定個数だけ選択される（ステップＳ１０）。
【００６０】
この所定個数の対象搬出計画が運用コストとともにディスプレイ１１２にデータ表示されるので（ステップＳ１１）、作業者は所望によりキーボード１１０の手動操作などでデータ表示された複数の対象搬出計画から１つを選択することになる（ステップＳ１２）。
【００６１】
すると、図４に示すように、その１つの対象搬出計画がＨＤＤ１０５などでデータ記憶され（ステップＳ１３）、ディスプレイ１１２にデータ表示される（ステップＳ１４）。このとき、作業者は所望によりキーボード１１０の手動操作などで対象搬出計画を編集処理することもでき（ステップＳ１５，Ｓ１６）、対象搬出計画の確定を入力操作することもできる（ステップＳ１７）。
【００６２】
このように対象搬出計画が確定されると、その対象搬出計画に対応して実際に複数のタンカーが複数の搬出港まで移動され、原油を積載して日本に帰還することになる。このとき、各種の事情から対象搬出計画と実際の対象搬出実績とが相違することがあるが、この対象搬出実績は搬出港やタンカーから石油会社に適宜連絡される。同様に、複数のタンカーが日本に帰還しているとき、その復路状況も複数のタンカーから石油会社に適宜連絡される。
【００６３】
そこで、図５に示すように、計画立案システム１００が対象搬入計画をデータ生成するときは、例えば、作業者がキーボード１１０の手動操作などで搬出実績や復路状況をデータ入力すると（ステップＴ１，Ｔ３）、その搬出実績や復路状況がＨＤＤ１０５などでデータ記憶される（ステップＴ２，Ｔ４）。
【００６４】
このとき、復路状況、搬入条件、運用条件、搬出実績、に対象搬入計画のデータ生成に利用したくないものがある場合、その制限を作業者が所望によりキーボード１１０などで入力操作すると（ステップＴ５）、この制限もＨＤＤ１０５などでデータ記憶される（ステップＴ６）。
【００６５】
このような状態で、作業者が対象搬入計画の生成指示をキーボード１１０などで計画立案システム１００に入力操作すると（ステップＴ７）、この計画立案システム１００は、制限がデータ登録されていない、復路状況、搬入条件、運用条件、搬出実績、をデータ読出し（ステップＴ８）、その復路状況と運用条件と搬入条件と搬出実績とに対応して複数のタンカーを複数の搬入港に移動させて原油を積卸させる対象搬入計画をデータ生成する（ステップＴ９〜Ｓ１２）。
【００６６】
その場合、その多数の対象搬入計画ごとに運用コストが算出され（ステップＴ１０）、その運用コストが最低の対象搬入計画が１つだけ選択される（ステップＴ１２）。図６に示すように、この１つの対象搬入計画がＨＤＤ１０５などでデータ記憶され（ステップＴ１３）、ディスプレイ１１２にデータ表示される（ステップＴ１４）。
【００６７】
このとき、作業者は所望によりキーボード１１０の手動操作などで対象搬入計画を編集処理することもでき（ステップＴ１５，Ｔ１６）、対象搬入計画の確定を入力操作することもできる（ステップＴ１７）。このように対象搬入計画が確定されると、その対象搬入計画に対応して実際に複数のタンカーが複数の搬入港まで移動されて原油を積卸することになる。
【００６８】
［実施の形態の効果］
本形態の計画立案システム１００では、上述のように対象搬送計画を対象搬出計画と対象搬入計画とに区分してデータ生成するので、膨大なパターンが存在する対象搬送計画を的確に立案することができる。
【００６９】
特に、リアルタイムの往路状況に対応して対象搬出計画をデータ生成し、リアルタイムの復路状況と実際の対象搬出実績とに対応して対象搬入計画をデータ生成するので、現実的な対象搬出計画と対象搬入計画とを的確に立案することができる。
【００７０】
さらに、本形態の計画立案システム１００では、往路状況と運用条件と搬出条件と搬出経路とに対応して複数の搬出港から複数のタンカーに原油を搬出する対象搬出計画をデータ生成するので、各種条件を満足する対象搬出計画を立案することができる。
【００７１】
同様に、運用条件と搬入条件と復路状況と対象搬出実績とに対応して複数のタンカーから複数の搬入港に原油を搬入する対象搬入計画をデータ生成するので、各種条件を満足して対象搬出実績にも対応した対象搬入計画を立案することができる。
【００７２】
しかも、本形態の計画立案システム１００では、対象搬出／搬入計画の多数の候補をデータ生成して運用コストを個々に算出し、その運用コストが低額な対象搬出／搬入計画を選択するので、運用コストが低額な対象搬出／搬入計画を立案することができる。
【００７３】
さらに、対象搬出計画は膨大な個数がデータ生成されるが、複数の対象搬出計画を選択して提示し、作業者に１つの対象搬出計画を選定させるので、的確な対象搬出計画を立案することができる。一方、対象搬出実績に基づいてデータ生成される対象搬入計画は、対象搬出計画ほどは膨大な個数とならないので、作業者の手動操作を必要とすることなく最適な１つの対象搬入計画を自動的に立案することができる。
【００７４】
しかも、搬出経路が事前にデータ登録されているので、膨大なパターンが存在する対象搬出計画を的確に制限して立案することができる。さらに、対象搬出／搬入計画のデータ生成に利用する各種条件の制限を所望によりデータ設定できるので、作業者の希望を良好に反映した対象搬出／搬入計画を立案することができる。
【００７５】
［実施の形態の変形例］
本発明は上記形態に限定されるものではなく、その要旨を逸脱しない範囲で各種の変形を許容する。例えば、上記形態では搬送対象部材が原油からなり、対象搬送機関がタンカーからなり、対象搬出現場が搬出港からなり、対象搬入現場が搬入港からなることを例示したが、本発明の計画立案システム１００は、例えば、トラックによる陸送や飛行機による空輸などにも適用することが可能である。
【００７６】
また、上記形態ではデータ生成した対象搬出／搬入計画の多数の候補ごとに運用コストを個々に算出し、その運用コストが低額な対象搬出／搬入計画を選択することを例示したが、例えば、運用コストではなく所要期間を算出して対象搬出／搬入計画を選択することなども可能である。
【００７７】
さらに、上記形態では計画立案システム１００が複数の対象搬出計画を提示して作業者に１つを選定させることを例示したが、計画立案システム１００が１つの対象搬出計画を自動的に選定することも可能である。また、計画立案システム１００が１つの対象搬入計画を自動的に選定することを例示したが、計画立案システム１００が複数の対象搬入計画を提示して作業者に１つを選定させることも可能である。
【００７８】
さらに、上記形態では搬出経路をデータ登録しておいて対象搬出計画のデータ生成に利用させることを例示したが、搬出経路をデータ登録することなく対象搬出計画をデータ生成することも可能であり、搬入経路をデータ登録しておいて対象搬入計画のデータ生成に利用させることも可能である。
【００７９】
また、上記形態では往路状況や復路状況や対象搬出実績などを作業者が手動操作で計画立案システム１００にデータ入力することを例示したが、例えば、このデータ入力をタンカーと計画立案システム１００とのオンライン通信などで自動的に実行することも可能である。
【００８０】
さらに、上記形態では説明を簡単とするために計画立案システム１００がスタンドアロンのコンピュータ装置からなることを例示したが、例えば、サーバ装置と複数のクライアント端末とを接続したクライアントサーバシステムなどで計画立案システム１００を実現することも可能である。
【００８１】
また、上記形態ではＲＡＭ１０４等に格納されているコンピュータプログラムに対応してＣＰＵ１０１が動作することにより、計画立案システム１００の各種機能として各種手段が論理的に実現されることを例示した。しかし、このような各種手段の各々を固有のハードウェアとして形成することも可能であり、一部をソフトウェアとしてＲＡＭ１０４等に格納するとともに一部をハードウェアとして形成することも可能である。
【００８２】
【発明の効果】
本発明の計画立案システムの計画立案方法では、対象搬送機関への搬送対象部材の対象搬出現場ごとの各種の搬出条件と、対象搬送機関ごとの各種の運用条件と、をデータ記憶しており、対象搬送機関ごとにデータ入力される対象搬入エリアから対象搬出エリアへの往路状況をデータ記憶し、往路状況と運用条件と搬出条件とに対応して複数の対象搬出現場から複数の対象搬送機関に搬送対象部材を搬出する対象搬出計画をデータ生成してデータ出力することにより、各種条件を満足する対象搬出計画を対象搬送計画の少なくとも一部としてデータ出力することができる。
【００８３】
上述のような計画立案システムにおいて、対象搬入現場ごとに対象搬送機関からの搬送対象部材の各種の搬入条件もデータ記憶しており、データ入力された対象搬出実績を対応する対象搬送機関ごとにデータ記憶し、対象搬送機関ごとにデータ入力される対象搬出エリアから対象搬入エリアへの復路状況もデータ記憶し、運用条件と搬入条件と復路状況と対象搬出実績とに対応して複数の対象搬送機関から複数の対象搬入現場に搬送対象部材を搬入する対象搬入計画をデータ生成してデータ出力することにより、各種条件を満足して対象搬出実績にも対応した対象搬入計画を対象搬送計画の少なくとも一部としてデータ出力することができる。
【図面の簡単な説明】
【図１】本発明の実施の形態の計画立案システムの論理構造を示す模式図である。
【図２】計画立案システムの物理構造を示すブロック図である。
【図３】計画立案システムが対象搬出計画をデータ生成するデータ処理方法の前半部分を示すフローチャートである。
【図４】後半部分を示すフローチャートである。
【図５】対象搬入計画をデータ生成するデータ処理方法の前半部分を示すフローチャートである。
【図６】後半部分を示すフローチャートである。
【符号の説明】
１００    計画立案システム
１０１    コンピュータの主体であるＣＰＵ
１０３    情報記憶媒体であるＲＯＭ
１０４    情報記憶媒体であるＲＡＭ
１０５    情報記憶媒体であるＨＤＤ
１０６    情報記憶媒体であるＦＤ
１０８    情報記憶媒体であるＣＤ−ＲＯＭ
１２１    搬出条件記憶手段
１２２    搬入条件記憶手段
１２３    搬出経路記憶手段
１２４    運用条件記憶手段
１２５    往路状況入力手段
１２６    往路状況記憶手段
１２７    搬出計画生成手段
１２８    搬出制限入力手段
１２９    搬出計画出力手段
１３１    搬出選択入力手段
１３２    搬出計画確定手段
１３４    搬出編集入力手段
１３６    搬出実績入力手段
１３７    搬出実績記憶手段
１４１    復路状況入力手段
１４２    復路状況記憶手段
１４３    搬入計画生成手段
１４４    搬入制限入力手段
１４７    搬入計画出力手段
１４８    搬入編集入力手段
【図１】
2004272628.tif 000003
【図２】
2004272628.tif 000004
【図３】
2004272628.tif 000005
【図４】
2004272628.tif 000006
【図５】
2004272628.tif 000007
【図６】
2004272628.tif 000008